(57)【要約】【課題】測定対象となるレンズを成型した金型の不良を、レンズを測定することにより把握することができるレンズ測定装置を提供することを目的とする。【解決手段】このレンズ測定装置は、カメラ２６および解析制御部３を用いて測定されたＭＴＦ値等の光学特性を示す光学特性情報を予め定められた時間単位ごとに集約して記憶部に記憶する。また、ＭＴＦ値を金型を識別するための金型番号と対応付けて記憶することができる。これにより、測定対象となるレンズを成型する金型の不良状態または経年劣化の状態を容易に把握することができる。【選択図】図１１
2007322328.tif 000002
【特許請求の範囲】
【請求項１】
レンズの光学特性を測定する測定手段と、
前記測定手段により測定された光学特性を示す光学特性情報を取得する取得手段と、
前記取得手段に取得された光学特性情報を予め定められた時間単位ごとに集約して記憶する記憶手段と、
を備えたレンズ測定装置。
【請求項２】
前記測定手段による測定対象となるレンズを成型した金型の識別情報を設定する設定手段をさらに備え、
前記記憶手段は、前記設定手段により設定された識別情報と前記光学特性情報とを対応付けて記憶することを特徴とする請求項１に記載のレンズ測定装置。
【請求項３】
前記取得手段は、前記時間単位ごとの測定数、合格率、または測定のための稼働時間の少なくとも一つを補足情報として取得し、前記記憶手段は、取得された前記補足情報を前記光学特性情報に対応付けて記憶することを特徴とする請求項１に記載のレンズ測定装置。
【発明の詳細な説明】
【技術分野】
【０００１】
本発明は、レンズの光学特性を測定するレンズ測定装置に関するものである。
【背景技術】
【０００２】
従来、レンズの光学特性を測定するレンズ測定装置として、例えば、特開２００４−２９４０７６号公報に記載されるように、レンズのＭＴＦ値の測定やＭＴＦ−デフォーカス特性を測定する測定装置が知られている。この装置は、装置内に配置された被検レンズに基準チャートを介してハロゲンランプなどの光を入射し、被検レンズから出射される光像を固体撮像素子で検出して、被検レンズのＭＴＦ値の測定やＭＴＦ−デフォーカス特性を測定しようとするものである。
【特許文献１】特開２００４−２９４０７６号公報
【発明の開示】
【発明が解決しようとする課題】
【０００３】
ここで、このようなレンズ測定装置が測定する対象となるレンズは、一つの金型から何千個も成型されるものであり、そのような金型を複数用いて、より多くの何万ものレンズが成型される。
【０００４】
しかしながら、金型ごとにその特性に微妙な差異があり、また、経年劣化により、金型によっては品質基準を満たすことができないレンズを成型してしまうことがありえる。
【０００５】
そこで本発明は、このような技術課題を解決するためになされたものであって、測定対象となるレンズを成型した金型の不良を、レンズを測定することにより把握することができるレンズ測定装置を提供することを目的とする。
【課題を解決するための手段】
【０００６】
上述の課題を解決するために、本発明のレンズ測定装置は、レンズの光学特性を測定する測定手段と、前記測定手段により測定された光学特性を示す光学特性情報を取得する取得手段と、前記取得手段に取得された光学特性情報を予め定められた時間単位ごとに集約して記憶する記憶手段と、を備えている。
【０００７】
この構成により、測定された光学特性を示す光学特性情報を予め定められた時間単位ごとに集約して記憶することができ、測定対象となるレンズを成型する金型を、測定する時間帯ごとに分けて使用された場合には、その金型の不良状態または経年劣化の状態を容易に把握することができる。
【０００８】
また、本発明のレンズ測定装置は、前記測定手段による測定対象となるレンズを成型した金型の識別情報を設定する設定手段をさらに備え、前記記憶手段は、前記設定手段により設定された識別情報と前記光学特性情報とを対応付けて記憶することが好ましい。
【０００９】
この構成により、設定された金型の識別情報と前記光学特性情報とを対応付けて記憶することができ、測定対象となるレンズを成型する金型の不良状態または経年劣化の状態を、金型の識別情報に対応付けられた光学特性情報を見るだけで容易に把握することができる。
【００１０】
また、前記取得手段は、前記時間単位ごとの測定数、合格率、または測定のための稼働時間の少なくとも一つを補足情報として取得し、前記記憶手段は、取得された前記補足情報を前記光学特性情報に対応付けて記憶することが好ましい。
【００１１】
この構成により、前記時間単位ごとの測定数、合格率、または測定のための稼働時間の少なくとも一つを補足情報として光学特性情報とともに記憶することができ、より容易、かつ確実に金型の不良状態または経年劣化の状態を把握することができ、またその他レンズの測定の管理状態を把握することができる。
【発明の効果】
【００１２】
本発明によれば、測定対象となるレンズを成型した金型の不良または経年劣化を、レンズを測定することにより把握することができる。
【発明を実施するための最良の形態】
【００１３】
以下、添付図面を参照して本発明の実施の形態を詳細に説明する。なお、図面の説明において同一の要素には同一の符号を付し、重複する説明を省略する。また、各図における部材や部材に形成される部分の構成比率は説明のものと必ずしも一致していない。
【００１４】
図１は、本発明の実施形態に係るレンズ測定装置の構成概要図である。本実施形態に係るレンズ測定装置は、レンズ１の光学特性を測定する装置であり、例えばＭＴＦ（Modulation Transfer Function）の測定に用いられる。レンズ測定装置は、測定部２、解析制御部３、モニタ４、判定部５及び電源部６を備えて構成されている。測定部２は、レンズ１の光学特性を測定するものである。測定部２及び電源部６は、装置本体を構成するものであり、例えばそれぞれ別個の筐体２１、６１に各構成部品を収容している。
【００１５】
測定部２は、電源部６上に載置されている。例えば、測定部２は、防振ゴム６２を介して電源部６上に載置され、電源部６の作動により生ずる振動が伝達しないように設けられている。これにより、振動の少ない環境でレンズ１の光学特性が測定できる。
【００１６】
測定対象物であるレンズ１は、トレー７に保持されて測定される。トレー７は、レンズ１を保持する保持具であって、レンズ１に光を透過できるように支持する構造となっている。トレー７は、複数のレンズ１を一度に収容できるものを用いることが好ましい。測定部２には、トレー７を載置するＸＹステージ２２が設けられている。ＸＹステージ２２は、トレー７を載置させ、トレー７をＸ方向である左右方向とＹ方向である前後方向に移動可能に構成され、そのトレー７の移動によって測定対象となるレンズ１を移動させる。ＸＹステージ２２としては、トレー７をＸ方向及びＹ方向に移動可能なものであればいずれのものを用いてもよい。
【００１７】
ＸＹステージ２２には、トレー７に保持されるレンズ１の種類を検出する検出部２２ａが設けられている。検出部２２ａは、トレー７に設けられる識別部７１の情報に基づいてトレー７が保持するレンズ１の種類を検出する。また、検出部２２ａは、トレー７に設けられる識別部７１の情報に基づいてトレー７の識別番号を検出する。トレー７の識別番号は、同じ種類のトレー７を個々に識別するための番号であり、トレー７ごとに異なる識別番号が割り当てられている。このトレー７の識別番号としては、連続したシリアル番号を割り当てることが好ましい。
【００１８】
測定部２には、チャート２３が配置されている。チャート２３は、レンズ１に入力する入力像を形成するものであり、積分球２４とレンズ１との間に配される。この測定部２は、逆投影によりレンズ１の光学特性を測定するものである。すなわち、レンズ１に対し光像を投影するチャート２３がレンズ１の焦点位置に配置される。
【００１９】
チャート２３は、Ｚステージ２５に取り付けられている。Ｚステージ２５は、チャート２３をＺ方向である上下方向に移動可能に構成され、チャート２３をレンズ１に対して任意に接近及び離間させる。これにより、レンズ１に対するチャート２３の位置調整を行うことができる。Ｚステージ２５としては、チャート２３をＺ方向に移動可能なものであればいずれのものを用いてもよい。
【００２０】
測定部２には、積分球２４が設置されている。積分球２４は、チャート２３に向けて入力光を発光する発光源となるものであり、例えばチャート２３の下方位置に取り付けられている。積分球２４は、出力口２４ａを有し、内面に拡散面２４ｂを形成した球体である。積分球２４には、光源部６３で発せられる光がライトガイド６８を通じて入射される。積分球２４に入射された光は、積分球２４の内部で繰り返し反射され、出力孔２４ａから光量ムラのごく少ない光となって出力される。
【００２１】
測定部２には、カメラ２６が設置されている。カメラ２６は、レンズ１から出力される出力像を受像する撮像手段である。カメラ２６としては、例えばＣＣＤ（Charge Coupled Device）などの固体撮像素子を備えたものが用いられる。レンズ１の出力像は、レンズ１に入力されるチャート２３の入力像がレンズ１によってカメラ２６に結像される像である。
【００２２】
カメラ２６としては、レンズ１の異なる箇所の光学特性を検出するために複数のものを用いることが好ましい。このカメラ２６は、例えば９つ設置される。この場合、左右方向及び前後方向に３つずつ配列される。これにより、レンズ１の前後左右の９箇所における光学特性を測定することができる。カメラ２６の受像信号は、解析制御部３に入力される。
【００２３】
電源部６には、光源部６３が設置されている。光源部６３は、積分球２４に入力する光を発光する光源であり、例えばハロゲンランプを備えたものが用いられる。光源部６３から出力された光はライトガイド６８を通じて積分球２４に入力される。また、電源部６には、駆動部６４が設置されている。駆動部６４は、ＸＹステージ２２及びＺステージ２５の駆動制御を行うものである。この駆動部６４は、例えばＸＹステージ２２及びＺステージ２５がパルスモータの駆動により作動する場合、パルスモータコントローラにより構成される。駆動部６４は、解析制御部３から出力される制御信号に従ってＸＹステージ２２及びＺステージ２５に駆動信号を出力する。
【００２４】
また、電源部６には、制御部６５が設置されている。制御部６５は、主に光源部６３の発光制御を行うものである。また、制御部６５は、ＸＹステージ２２の検出部２２ａの検出信号を入力し、その検出信号を解析制御部３へ出力する。また、電源部６には、電源６６が設置されている。電源６６は、光源部６３、駆動部６４及び制御部６５の電力供給源となるものである。また、電源部６には、ファン６７が設置されている。ファン６７は、電源部６内の熱を排出して冷却する冷却手段として機能するものであり、例えば回転羽根を備えたものが用いられる。
【００２５】
解析制御部３は、装置全体の制御を行うものであり、例えばＣＰＵ、ＲＯＭ、ＲＡＭを含むコンピュータを主体として構成されている。この解析制御部３としては、例えばパーソナルコンピュータの本体部が用いられる。解析制御部３は、測定部２に装着されたトレー７の情報に基づいて測定するレンズ１の種類を認識し、そのレンズ１の種類に応じたレンズ光学特性の測定の設定を行う測定設定手段として機能する。また、解析制御部３は、カメラ２６の受像信号を入力し、その受像信号に基づいてレンズ１のＭＴＦなどの光学特性を解析する解析手段として機能する。また、解析制御部３は、これら解析手段等により解析されたＭＴＦなどの光学特性、そのほかレンズの側定数、合格率、稼働時間をなどの統計データを取得する取得手段として機能する。また、解析制御部３は、測定対象のレンズを成型するための金型を示す金型番号を設定する設定手段として機能する。さらに、この解析制御部３は、記憶手段として後述する統計データを記憶する記憶部（例えば、ハードディスク等）を保持し、この記憶部は、集計した統計データをファイルとし記憶することができる。
【００２６】
モニタ４は、解析制御部３に接続され、レンズ１の光学特性の測定結果などを表示する表示手段として機能するものである。また、モニタ４により、レンズ１を測定する際の測定設定の表示も行われる。
【００２７】
判定部５は、トレー７に保持されたレンズ１の測定結果を判定するものである。判定部５は、トレー７を載置可能に構成され、載置したトレー７を認識する認識部５１、測定結果ＮＧとなったレンズ１を表示する表示部５２を備えている。判定部５は、解析制御部３と接続され、トレー７の検出情報及びレンズ１の測定結果情報を取得可能となっている。
【００２８】
判定部５に測定済みのトレー７を載置すると、認識部５１がトレー７の識別部７１に基づいてトレー７を認識する。そして、このトレー７に保持される各レンズ１の測定結果を解析制御部３から取得して、表示部５２が測定結果ＮＧのレンズ１を特定の色彩で表示する。例えば、表示部５２は、トレー７の各レンズ１の配置位置に対応して複数の発光体が配設されており、ＮＧとなったレンズ１に対応する発光体を赤く発光させる。これにより、装置の操作者は、複数保持されるレンズ１の中から測定結果ＮＧとなったレンズ１を容易に判定でき、そのＮＧのレンズ１をトレー７上から取り除くことができる。
【００２９】
図２にトレー７の平面図を示す。図３は、図２のIII−IIIにおけるトレー７の断面図である。図４は、図２のIV−IVから見たトレー７の側面図である。
【００３０】
図２、３に示すように、トレー７には、複数のレンズ１を保持する保持部７２が形成されている。保持部７２は、例えばトレー７の上面を下方に窪ませてレンズ１を収容可能に構成される。保持部７２には、底部を貫通して形成される貫通孔７３が設けられている。貫通孔７３は、レンズ測定時に入力像を透過させるための孔である。保持部７２は、縦横に配列して形成され、例えば６個×６個に配列され、トレー７上に３６個形成される。
【００３１】
図４に示すように、トレー７には、識別部７１が設けられている。識別部７１は、トレー７の種類及び識別番号を示すものであって、例えば、複数の凹凸部７１ａを組み合わせたものが用いられる。識別部７１は、下方側に対し凹凸するＮ個の凹凸部７１ａを並設して構成され、凹凸部７１ａの凹凸を設定してＮビットの情報を構築することができる。そして、このＮビットの情報に応じてトレー７の種類及びトレー７の識別番号を設定することにより、Ｎビットの情報に基づいてトレー７の種類及びトレー７の識別番号を認識することが可能となる。識別部７１には、例えば七つの凹凸部７１ａが形成され、７ビットの情報を有するものとされる。
【００３２】
トレー７の識別部７１に基づいてトレー７の種類及びトレー７の識別番号を検出する検出部２２ａとしては、例えば凹凸部７１ａの凹凸に応じてオンオフするスイッチを備えたものが用いられる。検出部２２ａは、スイッチのオンオフ状態に応じてトレー７の識別部７１における凹凸部７１ａの凹凸状態を検知し、その凹凸状態に基づいてトレー７の種類、即ちトレー７に保持されるレンズ１の種類及びトレー７の識別番号を検出する。また、判定部５の認識部５１も、検出部２２ａと同様なものが用いて構成すればよい。
【００３３】
なお、この検出部２２ａ及び認識部５１は、トレー７の情報を読み取れるものであれば、上述したもの以外のものでもよく、例えばトレー７にバーコードを付し、そのバーコードを読み取ってトレー７の情報を検出するものであってもよい。
【００３４】
図５は、チャート２３の平面図である。
【００３５】
図５に示すように、チャート２３は、スリット２３ａを形成した部分のみ光の透過を許容し、その他の部分の光の透過を遮断する板体により構成される。スリット２３ａは、例えば中央位置の測定点Ｐ１とその周囲に放射状に配置された複数の測定点Ｐ２〜Ｐ９が十字状に開口するように形成されている。また、測定点Ｐ１〜Ｐ９を縦３つ横３つに配列して形成してもよい。各測定点Ｐ１〜Ｐ９において、スリット２３ａに十字状に形成しておくことが好ましい。このようにスリット２３ａに複数の測定点Ｐ１〜Ｐ９を設けることにより、レンズ１の各部の光学特性を個別に測定することができ、レンズ１の光学特性を精密に測定することができる。
【００３６】
次に、本実施形態に係るレンズ測定装置の基本動作について説明する。
【００３７】
図６は、本実施形態に係るレンズ測定装置の基本動作を示すフローチャートである。図６における制御処理は、主に解析制御部３によって実行される。なお、この制御処理に先立って、レンズを成型した金型を識別するための金型番号がオペレータにより図示しない設定手段により設定される。そして、この金型番号は、後述する統計データに対応付けて記憶される。この設定手段は、例えば、解析制御部３に専用の操作部が設けられたものであって、入力した金型番号を表示することができるディスプレイおよび英数字を入力することが可能なキーボードから構成されている。オペレータは、設定時にはこの操作部から英数字からなる金型番号を入力することにより、入力された金型番号はディスプレイに表示され、オペレータにより確認されつつ、解析制御部３に金型番号が設定されることになる。なお、この操作部の代わりに解析制御部３にパソコンが接続され、このパソコンから金型番号が解析制御部３に設定されるようにしても良い。
【００３８】
図６のＳ１０に示すように、まず、トレー７が測定部２の測定位置に装着されたか否かが判断される。この判断処理は、例えばＸＹステージ２２の検出部２２ａの検出信号に基づいて行えばよい。Ｓ１０にて、トレー７が測定部２の測定位置に装着されたと判断されたときには、トレー識別情報の読み込み処理が行われる（Ｓ１２）。
【００３９】
このトレー識別情報の読み込み処理は、検出部２２ａの検出信号に基づいて行われる。すなわち、検出部２２ａの検出信号に含まれる７ビットの情報に基づいてトレー７の種類及びトレー７の識別番号が検出され、そのトレー７の種類、そのトレー７に保持されるレンズ１の種類及びトレー７の識別番号がそれぞれ読み込まれる。
【００４０】
そして、Ｓ１４に移行し、測定設定処理が行われる。この測定設定処理は、レンズ１の光学特性の測定に際し、その測定系の設定を行う処理である。例えば、測定設定として、レンズ１の焦点距離に対応してチャート２３の位置設定が行われる。レンズ１の種類に応じて解析制御部３から駆動部６４に駆動制御信号が出力され、駆動部６４の駆動信号を受けてＺステージ２５が作動し、チャート２３のＺ方向の位置設定が行われる。このような測定設定により、装置の操作者がレンズ１の種類に応じて測定設定を行う必要がなく、測定作業が円滑に行える。また、誤って測定設定が行われることを防止できる。
【００４１】
また、測定設定として、トレー７のレンズ１保持位置に対応してＸＹステージ２２の移動設定プログラムの読み込みが行われる。また、測定設定として、レンズ１の種類に応じて積分球２４から出力される光の光量を設定する場合もある。
【００４２】
そして、Ｓ１６に移行し、測定開始ボタンがオンとなったか否かが判断される。図示しない測定開始ボタンを装置の操作者が押下した場合、測定開始ボタンがオンとなったと判断される。測定開始ボタンがオンとなったと判断された場合には、測定処理が行われる（Ｓ１８）。
【００４３】
測定処理は、測定すべきレンズ１がチャート２３の真上に来るようにＸＹステージ２２を動作させ、積分球２４から光を出力させ、レンズ１から出力される光像を撮像したカメラ２６の撮像画像に基づいてレンズ１の光学特性を解析して行われる。積分球２４から出射された光は、チャート２３のスリット２３ａを透過してレンズ１に入射される。そして、レンズ１から出力されるスリット２３ａの光像は、カメラ２６に撮像される。その際、スリット２３ａの測定点Ｐ１〜Ｐ９に対しそれぞれ割り当てられたカメラ２６がそれらの測定点Ｐ１〜Ｐ９における光像を撮像する。
【００４４】
レンズ１の光学特性としては、ＭＴＦが測定される。ＭＴＦは、例えばスリット２３ａの光像画像の線像強度分布を求め、それをフーリエ変換して算出される。このＭＴＦは、測定点Ｐ１〜Ｐ９ごとに算出される。また、図７に示すような空間周波数に対するＭＴＦの光学特性や図８に示すようなデフォーカスに対するＭＴＦの光学特性が算出される。また、レンズ１の光学特性としては、レンズ１の焦点距離、焦点深度、偏芯状態などが測定される。これらの光学特性は、ＭＴＦと同様に、測定点Ｐ１〜Ｐ９ごとに測定することが好ましい。
【００４５】
そして、図６のＳ２０に移行し、測定結果判断処理が行われる。この測定結果判断処理は、測定したレンズ１の光学特性が予め設定される許容範囲内の特性になっているか否かを判断する処理である。例えばレンズ１のＭＴＦ値が許容範囲内の値になっているか否かが判断される。レンズ１のＭＴＦ値が許容範囲内の値になっていない場合には、そのレンズ１はＮＧレンズとして処理される。
【００４６】
そして、Ｓ２２に移行し、測定したレンズ１の光学特性がＮＧであるか否かが判断される。測定したレンズ１の光学特性が許容範囲内にない場合には、レンズ１がＮＧであると判断され、ＮＧカウントアップ処理が行われる（Ｓ２４）。ＮＧカウントアップ処理は、ＮＧとなったレンズ１のトレー７上のレンズ保持位置（保持部７２）に対するカウント値がインクリメントされる。このカウント値は、トレー７ごとのレンズ保持位置に対しそれぞれ設定され、それぞれのレンズ保持位置におけるＮＧ回数を示している。
【００４７】
そして、Ｓ２６に移行し、結果表示処理が行われる。結果表示処理は、測定したレンズ１がＮＧであることをモニタ４に表示する処理である。例えば、図９に示すように、ＮＧ表示４１が画像表示される。この表示を操作者が見ることにより、トレー７上のレンズ１のいずれかが光学特性の基準値を満たさないものがあることを容易に知ることができる。
【００４８】
また、その際、レンズ１がどのようなＮＧであったかをＮＧ内容ごとに異なる色彩で表示することが好ましい。例えば、図９に示すように、トレー７のレンズ保持位置（保持部７２の形成位置）に対応したトレー表示４２が表示され、縦Ａ〜Ｆ、横１〜６としてＡ１、Ｂ２というように座標値でレンズ保持位置が特定できるように表示される。このトレー表示４２において、例えば、ＭＴＦが許容範囲外でＮＧの場合にはそのＮＧのレンズ１の位置が赤色に表示され、ＦＦＬがＮＧの場合には茶色に表示され、偏芯がＮＧの場合にはオンレジ色に表示され、焦点深度がＮＧの場合にはピンク色に表示される。
【００４９】
このようにＮＧ内容ごとに異なる色彩で表示することにより、レンズ１の光学特性がどの項目のＮＧであるのか容易に認識することができる。また、ＮＧの色彩を他の者に知らせることにより、レンズ１のＮＧ内容の情報を容易に伝達することができる。特に装置の操作者が使用言語の異なる者にＮＧ内容を伝える場合に、そのＮＧ内容を容易に伝えることができる。
【００５０】
一方、図６のＳ２２にて、測定したレンズ１の光学特性がＮＧでないと判断された場合には、測定結果処理が行われる（Ｓ２８）。この結果表示処理は、測定したレンズ１がＮＧでなくＯＫであることをモニタ４に表示する処理である。例えば、図１０に示すように、ＯＫ表示４３が画像表示される。この表示を操作者が見ることにより、トレー７上のレンズ１の全てが光学特性の基準値を満たしていることを容易に知ることができる。なお、測定したレンズ１がＮＧでなく、かつＯＫでもなく、判断保留の場合には、「保留」を表示する場合もある。
【００５１】
つぎに、Ｓ１８の測定処理において測定された光学特性を示すＭＴＦ値の平均値が算出され、測定したレンズの測定数が１加算され、Ｓ２０、Ｓ２２の測定結果判断処理において判断された結果に基づいて合格率などの統計データが算出される。ここでは、測定時点でのレンズのＭＴＦ値の総和が、測定されたレンズの測定個数で除算されることとで、測定時点におけるＭＴＦ値の平均値が算出される。さらに、トレー７の交換作業時間等を除いた実際の測定時間である稼働時間が、前回算出された稼働時間に加えられることにより、総稼働時間などの統計データが算出される。このように、一つのレンズを測定するごとに上述の統計データが算出される。そして、所定時間単位（例えば１時間単位）での統計データとして集計できるように、ここで算出された統計データである、ＭＴＦ値の平均値、測定数、合格率、および稼働時間が、予め設定された金型番号に対応付けて、解析制御部３内に保持される記憶部（図示せず）における、現時刻の時間帯に対応した統計データ欄に記憶される（Ｓ２９）。すなわち、一のレンズの測定時の時刻に対応する時間帯の統計データ欄に算出された統計データは記憶され、例えば、一のレンズの測定時刻が１１時３０分である場合には、後述するようにその時刻を含んだ時間帯である１１：００−１２：００の統計データ欄に統計データは記憶される（図１１参照）。このようなＳ１８からＳ３０の処理を繰り返すことにより、測定時間帯ごとの統計データを記憶することができるなお、このように測定しながら統計データを算出することなく、レンズの一つ一つの統計データを算出して一時保持しておき、ファイル生成時に時間単位ごとの統計データを集計するようにしても良い。
【００５２】
図１１に、記憶部に記憶される統計データの具体例を示す。図１１に示すように、時間帯ごとに、ＭＴＦ値、測定数、合格率、稼働時間、金型番号が対応付けて記憶されている。なお、ＭＴＦ値は、測定時間帯ごとの平均値としているが、平均値ではなく、個々のＭＴＦ値（例えばピーク値のみ）を記憶させるようにしても良い。なお、記憶部に記憶されるこれら統計データは少なくとも光学特性を示すＭＴＦ値を記憶する必要があり、その他の統計データはその統計データの収集目的に応じて変えることが好ましい。また、ここで示す統計データでは、トレー識別情報と金型番号との対応付けはしていないが、時間帯ごとに金型番号との対応付けをするようにしてもよい。また、時間帯ごとに統計データを集計することなく、トレー識別情報ごとに統計データを集計しても良い。
【００５３】
そして、Ｓ３０に移行し、トレー７上の全てのレンズ１の測定が終了した否かが判断される。例えば、トレー７の位置をＸＹステージ２２を作動させることにより移動させて、トレー７上のレンズ１を端から順次測定していく場合、トレー７上の全てのレンズ１が測定し終えたか否かが判断される。トレー７上の全てのレンズ１が測定し終えていない場合には、Ｓ１８に戻る。
【００５４】
一方、Ｓ３０にてトレー７上の全てのレンズ１が測定し終えたと判断された場合には、警告処理が行われる（Ｓ３２）。警告処理は、Ｓ２４にてカウントアップしたＮＧカウンタ値が設定値以上となった場合に、レンズ測定系に異常があるおそれがあることを警告する処理である。例えば、同じ識別番号のトレー７における特定のレンズ保持位置のＮＧが連続してｎ回ＮＧである場合には、トレー７に異常があることが警告される。この場合、ｍ回測定でｎ回ＮＧである場合に警告してもよい。警告の仕方は、モニタ４への画像表示、音声の出力、ランプ等の発光部材の発光などによって行われる。一方、Ｓ２４にてカウントアップしたＮＧカウンタ値が設定値以上となっていない場合には、警告処理においてレンズ測定系の異常を警告する処理は行われない。
【００５５】
つぎに、警告処理がなされ後、予め定められた時間が経過したか否かが判断される（Ｓ３４）。ここで、予め定められた時間が経過したと、解析制御部３により判断された場合、今まで記憶部に記憶された統計データが一つのファイルとして生成され、この記憶部に記憶される（Ｓ３６）。ここでは、一日の終了時刻になったとき、すなわち測定終了時に統計データを一つのファイルにまとめることが好ましい。また、予め定められた終了時刻が経過していないと判断された場合には、次のトレーの装着待ち状態となる（Ｓ１２）。なお、このときに、オペレータの操作により金型番号の設定を変えることができる。
【００５６】
このように生成されたファイルに記述されている統計データは、モニタ４または図示しないパソコン等に表示され、レンズ測定装置のオペレータは、生成された統計データを閲覧することにより、所定単位ごと（例えば１時間単位ごと）にまとめられた統計データから、金型が不良である、または経年劣化が生じているなどを判断することができる。例えば、合格率またはＭＴＦ値（平均値）が基準値より低いという場合には、金型自体に異常があると判断することができ、この金型が古いものである場合には、経年劣化により金型に異常が発したものと推測することができる。また、測定数または稼働時間が基準値より低いという場合には、何らかの不良により作業が中断したと判断することができ、レンズの測定の効率化に向けた対策をとることができる。さらに、予め定めた時間単位（例えば１日単位）でファイルを生成していることから、金型番号と対応付けてなくても、測定日とレンズのロットナンバーとを管理しておけば、測定日に基づいて金型番号を知ることができ、その場合には金型番号は必須ではない。
【００５７】
以上の通り、本実施形態のレンズ測定装置は、測定されたＭＴＦ値等の光学特性を示す光学特性情報を予め定められた時間単位ごとに集約して記憶部に記憶することができ、測定対象となるレンズを成型する金型を、測定する時間帯ごとに分けて使用された場合には、その金型の不良状態または経年劣化の状態を容易に把握することができる。
【００５８】
また、このレンズ測定装置は、設定手段により設定された金型番号とＭＴＦ値とを対応付けて記憶することができ、測定対象となるレンズを成型する金型の不良状態または経年劣化の状態を、金型の識別情報に対応付けられたＭＴＦ値を見るだけで容易に把握することができる。
【００５９】
また、このレンズ測定装置は、時間単位ごとの測定数、合格率、または測定のための稼働時間の少なくとも一つを取得し、記憶部は、取得されたこれら情報を補足情報としてＭＴＦ値に対応付けて記憶することができ、より容易、かつ確実に金型の不良状態または経年劣化の状態を把握することができ、またその他レンズの測定の管理状態を把握することができる。
【００６０】
なお、上述した実施形態に係るレンズ測定装置は、本発明に係るレンズ測定装置の一例を示すものである。本発明に係るレンズ測定装置は、これらの実施形態に係るレンズ測定装置に限られるものではなく、各請求項に記載した要旨を変更しない範囲で、実施形態に係るレンズ測定装置を変形し、又は他のものに適用したものであってもよい。
【図面の簡単な説明】
【００６１】
【図１】本発明の実施形態に係るレンズ測定装置の構成概要図である。
【図２】図１におけるレンズ測定装置に用いられるトレーの平面図である。
【図３】図２のIII−IIIにおけるトレーの断面図である。
【図４】図２のIV−IVから見たトレーの側面図である。
【図５】図１におけるレンズ測定装置に用いられるチャートの説明図である。
【図６】図１のレンズ測定装置の基本動作を示すフローチャートである。
【図７】図１のレンズ測定装置における測定結果の説明図である。
【図８】図１のレンズ測定装置における測定結果の説明図である。
【図９】図１のレンズ測定装置における測定結果表示の説明図である。
【図１０】図１のレンズ測定装置における測定結果表示の説明図である。
【図１１】統計データの具体例を示す説明図である。
【符号の説明】
【００６２】
１…レンズ、２…測定部、３…解析制御部、４…モニタ、５…判定部、６…電源部、７…トレー、２３…チャート、２４…積分球、２６…カメラ、６２…防振ゴム。
【図１】
2007322328.tif 000003
【図２】
2007322328.tif 000004
【図３】
2007322328.tif 000005
【図４】
2007322328.tif 000006
【図５】
2007322328.tif 000007
【図６】
2007322328.tif 000008
【図７】
2007322328.tif 000009
【図８】
2007322328.tif 000010
【図９】
2007322328.tif 000011
【図１０】
2007322328.tif 000012
【図１１】
2007322328.tif 000013